(57)【要約】【課題】シンク機器とＨＤＭＩ接続されているとき、電源をオフする際にシンク機器の電源制御に関する連動機能の使い勝手が向上した電子機器及び制御信号送信方法を提供する。【解決手段】電子機器は、ＨＤＭＩ規格に従うシンク機器とＨＤＭＩ接続可能な電子機器であって、前記シンク機器とＨＤＭＩ接続されている際、アクティブ状態または非アクティブ状態の何れであるかを判定する判定手段と、前記シンク機器とＨＤＭＩ接続されている際、前記電子機器の電源をオフする場合に、前記電子機器がアクティブ状態であるときには前記シンク機器に電源制御信号を送信し、非アクティブ状態であるときには前記シンク機器に電源制御信号を送信しない制御手段とを有する。【選択図】図１
2012119934.tif 000002
【特許請求の範囲】
【請求項１】
ＨＤＭＩ（High Definition Multimedia Interface）（登録商標）規格に従うシンク機器とＨＤＭＩ接続可能な電子機器であって、
前記シンク機器とＨＤＭＩ接続されている際、アクティブ状態または非アクティブ状態の何れであるかを判定する判定手段と、
前記シンク機器とＨＤＭＩ接続されている際、前記電子機器の電源をオフする場合に、前記電子機器がアクティブ状態であるときには前記シンク機器に電源制御信号を送信し、非アクティブ状態であるときには前記シンク機器に電源制御信号を送信しない制御手段と
を有する電子機器。
【請求項２】
前記電源制御信号は、ＨＤＭＩ規格におけるスタンバイコマンドである請求項１記載の電子機器。
【請求項３】
前記判定手段は、前記電子機器の電源がオフからオンに変化したときアクティブ状態と判定する請求項１記載の電子機器。
【請求項４】
前記判定手段は、前記電子機器が記録媒体に記録されたデータの再生を開始したならばアクティブ状態と判定する請求項１記載の電子機器。
【請求項５】
前記判定手段は、前記電子機器が受信したSetStreamPathコマンドのアドレスが前記電子機器のアドレスと一致したならばアクティブ状態と判定する請求項１記載の電子機器。
【請求項６】
前記判定手段は、前記電子機器がActiveSourceコマンドを受信したならば非アクティブ状態と判定する請求項１記載の電子機器。
【請求項７】
前記判定手段は、前記電子機器が受信したSetStreamPathコマンドのアドレスが前記電子機器のアドレスと一致していないならば非アクティブ状態と判定する請求項１記載の電子機器。
【請求項８】
前記判定手段は、前記電子機器が受信したRoutingChangeコマンドのNewアドレスが前記電子機器のパスと一致していないならば非アクティブ状態と判定する請求項１記載の電子機器。
【請求項９】
ＨＤＭＩ（High Definition Multimedia Interface）（登録商標）規格に従うシンク機器とＨＤＭＩ接続可能な電子機器の制御信号送信方法であって、
前記シンク機器とＨＤＭＩ接続されている際、アクティブ状態または非アクティブ状態の何れであるかを判定し、
前記シンク機器とＨＤＭＩ接続されている際、前記電子機器の電源をオフする場合に、前記電子機器がアクティブ状態であるときには前記シンク機器に電源制御信号を送信し、非アクティブ状態であるときには前記シンク機器に電源制御信号を送信しない制御信号送信方法。
【請求項１０】
前記電源制御信号は、ＨＤＭＩ規格におけるスタンバイコマンドである請求項９記載の制御信号送信方法。
【発明の詳細な説明】
【技術分野】
【０００１】
本発明の実施形態は、ＨＤＭＩ（High Definition Multimedia Interface）（登録商標）等によるデジタルインタフェースにより表示装置等のシンク機器と接続可能な電子機器及び制御信号送信方法に関する。
【背景技術】
【０００２】
近年、家庭内のデジタル機器用のデジタルインタフェース規格としてＨＤＭＩが普及している。ＨＤＭＩ規格に準拠したシステムは、映像音声信号を送信するソース（Source）機器と、映像音声信号を受信するシンク（Sink）機器とがＨＤＭＩケーブルで接続されて構成される。従来は表示装置と外部機器間の接続には映像信号、音声信号の各信号用の複数のケーブルを用いていたが、ＨＤＭＩではケーブル１本で伝送可能である。
【０００３】
また、ＨＤＭＩ規格では、機器間の相互の制御信号を双方向に伝送させるための制御プロトコルであるＣＥＣ（Consumer Electronics Control）が規定されており、例えば、デジタルテレビ、プロジェクタ等の映像音声信号の受信側であるシンク機器と、ＳＴＢ（Set Top Box）やＤＶＤ（Digital Versatile Disc）レコーダ等の映像音声信号の供給側であるソース機器との間で、制御信号を相互に送受信することによって、一つのリモコン（例えばデジタルテレビのリモコン）でシステム全体の動作をコントロールすることも可能である。
【先行技術文献】
【特許文献】
【０００４】
【特許文献１】特開２００９−１８８７２７号公報
【発明の概要】
【発明が解決しようとする課題】
【０００５】
ＣＥＣ機能によって接続された機器同士の連動機能が実現されるようになったが、この中の一つの機能としてシステムスタンバイ（System Standby）機能がある。この機能は、例えば、シンク機器の電源をオフ（off、遮断）にするとき、シンク機器がシステムスタンバイコマンドを発行し、ＨＤＭＩ接続されたソース機器も連動して電源がオフとなる機能である。ソース機器の電源の切り忘れなどを防止できる。但しレコーダ等のソース機器が録画等の動作を継続中である場合などは、電源がオフとなることはない。なお、電源がオフとなるとは、詳細にはシンク機器あるいはソース機器が動作状態から待機状態になるということである。また、電源がオンとなるとは、待機状態から動作状態になるということである。
【０００６】
逆にソース機器の電源をオフにしたときシンク機器の電源がオフとなる機能も考えられる。しかしながら、シンク機器に接続されている他のソース機器が動作中で、シンク機器が他の動作中のソース機器の再生信号を受信し、そのデータを再生しているときにシンク機器の電源がオフしてしまっては都合が悪い。
【０００７】
本発明の目的は、上記したような事情に鑑み成されたものであって、シンク機器とＨＤＭＩ接続されているとき、電源をオフする際にシンク機器の電源制御に関する連動機能の使い勝手が向上した電子機器及び制御信号送信方法を提供することである。
【課題を解決するための手段】
【０００８】
上記目的を達成するために、実施形態によれば、電子機器は、ＨＤＭＩ（High Definition Multimedia Interface）（登録商標）規格に従うシンク機器とＨＤＭＩ接続可能な電子機器であって、前記シンク機器とＨＤＭＩ接続されている際、アクティブ状態または非アクティブ状態の何れであるかを判定する判定手段と、前記シンク機器とＨＤＭＩ接続されている際、前記電子機器の電源をオフする場合に、前記電子機器がアクティブ状態であるときには前記シンク機器に電源制御信号を送信し、非アクティブ状態であるときには前記シンク機器に電源制御信号を送信しない制御手段とを有する。
【図面の簡単な説明】
【０００９】
【図１】実施形態の構成の一例を示すブロック図。
【図２】アクティブ判定手段の動作手順の一例を示すフローチャート。
【図３】電源制御に関するコマンドの発行動作手順の一例を示すフローチャート。
【図４】光ディスクレコーダとデジタルテレビの概観を示した斜視図。
【図５】光ディスクレコーダの構成の例を示したブロック図。
【発明を実施するための形態】
【００１０】
以下実施形態について図面を参照しながら説明する。図１は、実施形態のシステム構成の一例を示すブロック図である。ソース機器１とシンク機器６がＨＤＭＩケーブル１０を介して接続されている。ＨＤＭＩケーブル１０の両端はソース機器１のＨＤＭＩ端子５とシンク機器６のＨＤＭＩ端子９に接続されている。
【００１１】
ソース機器１は、例えば、ＤＶＤ（Digital Versatile Disc）レコーダ、ＢＤ（Blu-ray（登録商標））レコーダ等の記録再生機器、チューナ、ＳＴＢ、ＤＶＤプレーヤ、ＢＤプレーヤ等の再生機器のような映像音声信号を送信する電子機器である。
【００１２】
ソース機器１は、ＨＤＭＩ規格およびＨＤＭＩ ＣＥＣ規格に準拠し、ＨＤＭＩ ＣＥＣ制御手段２、アクティブ状態判定手段３、電源制御手段４、ＨＤＭＩ端子５を有する。ＨＤＭＩ ＣＥＣ制御手段２は、ＨＤＭＩ規格に準拠した制御を行い、ＨＤＭＩ端子５に接続されたシンク機器６とＨＤＭＩ ＣＥＣ信号による通信を行う。
【００１３】
アクティブ状態判定手段３は、ソース機器１がシンク機器６とＨＤＭＩ接続されているとき、ソース機器１がアクティブ状態または非アクティブ状態の何れであるかを判定する判定手段である。ソース機器１がアクティブ状態と判定される状態は複数あり、例えば、ソース機器１の電源スイッチをオンにして電源をオン（on、投入）した場合や記録媒体に記録されたデータの再生を開始した場合にアクティブ状態であると判定される。アクティブ状態判定手段３とＨＤＭＩ ＣＥＣ制御手段２の間はアクティブ制御信号が伝送される。
【００１４】
電源制御手段４は、ソース機器１の電源のオン／オフを含む電源関連の制御を行う。電源制御手段４からＨＤＭＩ ＣＥＣ制御手段２へ、電源がオン、オフしたときにそれぞれオン、オフの電源制御信号が伝達される。
【００１５】
シンク機器６は、例えば、デジタルテレビ、ディスプレイ装置等のデジタル映像音声信号を受信して再生する表示装置である。シンク機器６は、ＨＤＭＩ規格およびＨＤＭＩ ＣＥＣ規格に準拠し、ＨＤＭＩ ＣＥＣ制御手段７、電源制御手段８、ＨＤＭＩ端子９を有する。ＨＤＭＩ端子９は複数設置される場合がある。
【００１６】
ＨＤＭＩ ＣＥＣ制御手段７は、ＨＤＭＩ規格に準拠した制御を行い、ＨＤＭＩ端子９に接続されたソース機器１とＨＤＭＩ ＣＥＣ信号による通信を行う。電源制御手段８は、シンク機器６の電源のオン／オフを含む電源関連の制御を行う。シンク機器６には、ソース機器１以外の複数のソース機器が接続される場合もある。
【００１７】
ＨＤＭＩ規格によれば、シンク機器６に１個または複数のソース機器が接続された状態で、シンク機器６が入力先のソース機器を切替えた際にRoutingChangeコマンドもしくはSetStreamPathコマンドを接続されている各ソース機器へ送信する。
【００１８】
ここでSetStreamPathコマンド内のアドレスがソース機器１のアドレスと一致していれば、ソース機器１はアクティブ状態となりActiveSourceコマンドをシンク機器６およびシンク機器６に接続された他のソース機器へ送信する。SetStreamPathコマンド内のアドレスがソース機器１のアドレスと一致していなければ、ソース機器１は非アクティブ状態となる。
【００１９】
RoutingChangeコマンド内のNewアドレスがソース機器のアドレスのパスと異なる場合には、ソース機器１は非アクティブ状態となる。
【００２０】
シンク機器６が有するチューナによる映像信号をシンク機器６の画面に表示する場合は、シンク機器６はActiveSourceコマンドを接続されている各ソース機器へ送信する。また、シンク機器６に接続されたソース機器の一つがアクティブ状態になった場合にはそのソース機器からActiveSourceコマンドがシンク機器６および各ソース機器へ送信される。シンク機器６はActiveSourceコマンドを受信した場合に、入力先をActiveSourceコマンドを送信したソース機器に切替える。ソース機器１以外のソース機器がアクティブ状態になり、ソース機器１がActiveSourceコマンドを受信した場合には、ソース機器１は非アクティブ状態となる。
【００２１】
図２は、アクティブ状態判定手段３の動作手順の一例を示すフローチャートである。アクティブ状態判定手段４は、ソース機器１がアクティブ状態または非アクティブ状態の何れであるかを判定する判定手段である。アクティブ判定手段３は、ＨＤＭＩ ＣＥＣ制御手段２からアクティブ制御信号を受信して判定し、その状態を保持する。
【００２２】
Ｓ１１において、アクティブ状態判定手段３は、ソース機器１の電源がオフからオンに変化したかを判定し、変化したならばＳ１７へ移ってアクティブ状態であるとして保持する。変化していないならば、Ｓ１２へ移る。ＨＤＭＩ ＣＥＣ制御手段２は、電源制御手段４から電源のオフ／オンの状態の情報を受けて、アクティブ状態判定手段３に送信する。
【００２３】
Ｓ１２において、アクティブ状態判定手段３は、ソース機器１が記録媒体に記録されたデータの再生を開始したかを判定し、再生開始したならばＳ１７へ移ってアクティブ状態であるとして保持する。再生開始していないならば、Ｓ１３へ移る。ＨＤＭＩ ＣＥＣ制御手段２は、記録媒体に記録されたデータの再生状況をアクティブ状態判定手段３に送信する。
【００２４】
Ｓ１３において、アクティブ状態判定手段３は、ソース機器１が受信したSetStreamPathコマンドのアドレスがソース機器１のアドレスと一致したかを判定し、一致したならばＳ１７へ移ってアクティブ状態であるとして保持する。コマンドを受信していないもしくは一致していないならば、Ｓ１４へ移る。ＨＤＭＩ ＣＥＣ制御手段２は、SetStreamPathコマンドのアドレス情報をアクティブ状態判定手段３に送信する。あるいは、ＨＤＭＩ ＣＥＣ制御手段２は、SetStreamPathコマンドのアドレス情報が一致したことをアクティブ状態判定手段３に送信してもよい。
【００２５】
Ｓ１４において、アクティブ状態判定手段３は、ソース機器１がActiveSourceコマンドを受信したかを判定し、受信したならばＳ１８へ移って非アクティブ状態であるとして保持する。受信していないならば、Ｓ１５へ移る。ＨＤＭＩ ＣＥＣ制御手段２は、ActiveSourceコマンドの受信情報をアクティブ状態判定手段３に送信する。
【００２６】
Ｓ１５において、アクティブ状態判定手段３は、ソース機器１が受信したSetStreamPathコマンドのアドレスがソース機器１のアドレスと一致していないかを判定し、一致していないならばＳ１８へ移って非アクティブ状態であるとして保持する。コマンドを受信していないもしくは一致していたならば、Ｓ１６へ移る。ＨＤＭＩ ＣＥＣ制御手段２は、SetStreamPathコマンドのアドレス情報をアクティブ状態判定手段３に送信する。
【００２７】
Ｓ１６において、アクティブ状態判定手段３は、ソース機器１が受信したRoutingChangeコマンドのNewアドレスがソース機器１のパスと一致していないかを判定し、一致していないならばＳ１８へ移って非アクティブ状態であるとして保持する。一致していたならば、終了する。ＨＤＭＩ ＣＥＣ制御手段２は、RoutingChangeコマンドのアドレス情報をアクティブ状態判定手段３に送信する。
【００２８】
図２に示したフローチャートにおいて、アクティブ状態判定手段３がアクティブ状態または非アクティブ状態の何れであるかを判定する判定条件の例を示したが、図２に示した判定条件以外にも複数の判定条件があるが、これ以上の判定条件の例については説明を省略する。
【００２９】
ソース機器１がアクティブ状態であるとき、シンク機器６にＨＤＭＩ接続された１個または複数のソース機器の中で、ソース機器１が入力先として選択されている。逆にソース機器１が非アクティブ状態であるとき、ソース機器１以外のソース機器が入力先として選択されているか、または、シンク機器６がアクティブ状態となっている。
【００３０】
図３は、ソース機器１のＨＤＭＩ ＣＥＣ制御手段２の電源制御に関するコマンドの発行動作手順の一例を示すフローチャートである。ＨＤＭＩ ＣＥＣ制御手段２は、ソース機器１の電源制御の状態を判定し、ソース機器１がアクティブ状態か非アクティブ状態かを判定して、シンク機器６に対する電源制御信号の発行の可否を決定する。電源制御信号は、例えば、ＨＤＭＩ規格におけるスタンバイコマンドである。システムスタンバイコマンドは、簡単にスタンバイ（Standby）コマンドとも呼ばれる。
【００３１】
Ｓ２１において、ＨＤＭＩ ＣＥＣ制御手段２は、電源制御手段４から電源オフの情報が通知されたかを判定する。電源制御手段４は、ソース機器１の電源をオフする場合に電源オフ移行信号をＨＤＭＩ ＣＥＣ制御手段２に通知する。通知されたならば、Ｓ２２へ移る。通知されていないならば、最初に戻って電源オフの情報が通知されたかを判定するステップを継続する。
【００３２】
Ｓ２２において、ＨＤＭＩ ＣＥＣ制御手段２は、ソース機器１がアクティブ状態か非アクティブ状態かを判定する。ＨＤＭＩ ＣＥＣ制御手段２は、アクティブ状態判定手段３が保持しているアクティブ状態か非アクティブ状態かの情報を取得して判定する。アクティブ状態であればＳ２３へ移る。非アクティブ状態であれば、終了する。
【００３３】
Ｓ２３において、ＨＤＭＩ ＣＥＣ制御手段２は、電源制御信号（スタンバイコマンド）をシンク機器６へ送信して終了する。
【００３４】
シンク機器６のＨＤＭＩ ＣＥＣ制御手段７が電源制御信号（スタンバイコマンド）を受信し、ＨＤＭＩ ＣＥＣ制御手段７がシンク機器６の電源制御手段８へシンク機器６の電源をオフする制御情報を伝送する。電源制御手段８はシンク機器６の電源をオフする。
【００３５】
以上のように、ソース機器１のＨＤＭＩ ＣＥＣ制御手段２が、ソース機器１の電源がオフされる情報が通知されたかを判定し、通知されたならば、ソース機器１がアクティブ状態か非アクティブ状態かを判定して、アクティブ状態であれば、シンク機器６に対して電源制御信号（スタンバイコマンド）を送信し、非アクティブ状態であれば、電源制御信号（スタンバイコマンド）を送信しないようにする。
【００３６】
ソース機器１がアクティブ状態であるとき、シンク機器６にＨＤＭＩ接続された１個または複数のソース機器の中で、ソース機器１が入力先として選択されているため、シンク機器６の電源をオフにしても、利用者にとって不都合はなく、ソース機器の電源をオフする際にシンク機器の電源制御に関する連動機能の使い勝手が向上する。
【００３７】
ソース機器１が非アクティブ状態であるとき、ソース機器１の電源をオフとしてもシンク機器６の電源はオフとならず、ソース機器１以外のソース機器が入力先として選択された状態が継続される。従ってソース機器の電源をオフする際にシンク機器の電源制御に関する連動機能の使い勝手が向上する。
【００３８】
図４は、光ディスクレコーダ１１とデジタルテレビ１５の概観図である。ソース機器１として光ディスクレコーダ１１を、シンク機器６としてデジタルテレビ１５をそれぞれの例とした構成である。
【００３９】
光ディスクレコーダ１１は、光ディスクや内蔵されたＨＤＤ（Hard Disk Drive）あるいはＳＳＤ（Solid State Drive）等の記録装置に対して映像情報や音声情報を記録したり再生する記録再生装置である。光ディスクレコーダ１１の筐体１２の背面にはＨＤＭＩ端子１３が設置されている。
【００４０】
リモコン１４は赤外線あるいはBluetooth等による無線通信を利用して、光ディスクレコーダ１１の操作受信部へ操作信号を送る操作機器である。
【００４１】
デジタルテレビ１５は、筐体１６と、筐体１６を支持するスタンド１７を備えている。筐体１６は前面側に液晶パネルやＰＤＰパネル等の表示パネル１８が配置され、表示パネル１８の背面側に表示パネル１８を支持する図示しないフレームが配置されている。フレームには表示パネル１８を駆動するための図示しない回路基板や電源回路が設置されている。筐体１６の前面側と上面、底面、両側側面の一部を覆う前面カバー１９と、筐体１６の背面側と上面、底面、両側側面の一部を覆う背面カバー２０とによって外面が囲まれている。画面２１は、表示パネル１８の前面カバー１９の窓部１９ａの内側の表示部分である。デジタルテレビ１５の筐体１６の背面にはＨＤＭＩ端子２２が設置されている。
【００４２】
リモコン２３は赤外線あるいはBluetooth等による無線通信を利用して、デジタルテレビ１５の操作受信部へ操作信号を送る操作機器である。
【００４３】
光ディスクレコーダ１１のＨＤＭＩ端子１３とデジタルテレビ１５のＨＤＭＩ端子２２の間はＨＤＭＩケーブル２４によって接続されている。
【００４４】
図５は、ソース機器１としての光ディスクレコーダ１１の構成の例を示したブロック図である。アンテナ２５は、放送局２６から送信された放送電波を受信するための地上デジタル放送あるいは衛星デジタル放送用のアンテナである。
【００４５】
チューナ２７は、地上デジタル放送あるいは衛星デジタル放送の放送信号の中から所望のチャンネルの放送信号を選局する。チューナ２７は、複数のチューナユニットから構成されており、同時に複数の放送を受信することができる。
【００４６】
復調器２８は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部２９に出力される。
【００４７】
デコード処理部２９は、ＭＰＥＧデコーダ、映像音声デコーダ等の機能を有する。デコード処理部２９は、復調器２８から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部２９は、記録装置３０から入力された映像データ及び音声データをデコードする。
【００４８】
記録装置３０は、ＨＤＤ、ＳＳＤあるいはＯＤＤ（Optical Disc Drive）等を含む記録手段である。記録装置３０には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤ或いはＯＤＤに記録され、また再生される。再生データは、デコード処理部２９でデコードされる。
【００４９】
重畳処理部３１は、デコード処理部２９からの映像データと、バス３３を介して転送されるデータ放送やＧＵＩ（Graphical User Interface）制御手段４５によるウィンドウ描画をプレーン管理して、映像データとの重ね合わせを行い、映像音声出力部３２に送る。
【００５０】
映像音声出力部３２は、ＨＤＭＩの送受信のためのパケット処理、ＴＭＤＳ（Transition Minimized Differential Signaling）エンコーダ／デコーダ等の入出力ドライバの機能を含み、デコード処理部２９あるいは重畳処理部３１から送信された映像音声信号をＨＤＭＩ端子１３へ出力する。また、ＨＤＭＩ端子１３に接続されたＨＤＭＩケーブルを介して送信されるシンク機器からのＨＤＭＩ ＣＥＣ信号を受信し、制御部３４に伝送する。
【００５１】
光ディスクレコーダ１１は、上記した受信動作を含むその全ての動作を制御部３４によって統括的に制御されている。制御部３４はＭＰＵ（Micro Processing Unit）３５が搭載されており、バス３３を介して接続された各構成要素を制御する。
【００５２】
ＲＡＭ（Random Access Memory）３６は、制御部３４のデータ処理に必要な各種データを格納するリード／ライトメモリであり、映像データ等を格納するバッファメモリとして動作する。ＲＯＭ（Read Only Memory）３７は読出し専用メモリであり、ＭＰＵ３５が実行する制御のプログラムなどを格納している。
【００５３】
フラッシュメモリ３８は、書き換え可能であり、電源を切ってもデータが消えない不揮発性の半導体メモリである。フラッシュメモリ３８は、録画番組情報、録画予約情報等を記憶する機能を有する。
【００５４】
操作受信部３９は、操作機器４０から送信される操作信号を受信し、制御部３４に転送する。操作機器４０は、例えば、赤外線あるいはBluetooth等による無線通信を利用したリモコン（リモートコントローラ、remote controller）１４、図示しない有線式あるいは無線式の図示しないキーボード等であり、操作信号を送出する。操作受信部３９は、これらリモコン、キーボード等から操作信号を受信する。
【００５５】
図５において、制御部３４は、ＨＤＭＩ ＣＥＣ制御手段４１、アクティブ状態判定手段４２、電源制御手段４３、記録管理手段４４、ＧＵＩ制御手段４５の機能を有する。これらの機能は、制御部３４のＭＰＵ３５が実行するアプリケーションであり、通常はＲＯＭ３７に格納されており、使用時にはＭＰＵ３５によって読み出され実行される。
【００５６】
ＨＤＭＩ ＣＥＣ制御手段４１は、ＨＤＭＩ規格に準拠した制御を行い、ＨＤＭＩ端子１３に接続されたＨＤＭＩケーブルを介して例えばデジタルテレビ１５のようなシンク機器とＨＤＭＩ ＣＥＣ信号による通信を行う。
【００５７】
アクティブ状態判定手段４２は、光ディスクレコーダ１１が、例えばデジタルテレビ１５のようなシンク機器とＨＤＭＩケーブル２４によって接続されているとき、光ディスクレコーダ１１がアクティブ状態または非アクティブ状態の何れであるかを判定する判定手段である。アクティブ状態判定手段４２は、図２で示したアクティブ状態判定の動作手順のフローチャートに従ってアクティブ状態を判定する。
電源制御手段４３は、光ディスクレコーダ１１の電源回路４６のオン／オフを含む電源関連の制御を行う。電源制御手段４からＨＤＭＩ ＣＥＣ制御手段２へ、電源がオン、オフしたときにオン、オフの電源制御信号がそれぞれ伝達される。
【００５８】
記録管理手段４４は、利用者の要求に基づいて設定された放送番組の予約情報を管理する。また、記録管理手段４４は、予約された番組の記録処理、また視聴中の番組の記録処理を行う。さらに、記録管理手段４４は、記録装置３０に記録された番組を管理する。記録された番組の番組情報（放送局名、放送日時、番組名、放送概要、出演者、番組詳細、番組分類等）、記録時間、録画番組が再生済みか未再生かの区別等を、フラッシュメモリ３８、または記録装置３０に記録し、録画番組の情報を管理する。記録管理手段４４は、録画番組リストの生成、録画番組の再生や削除、編集等の処理を実行する。
【００５９】
ＧＵＩ制御手段４５は、ＧＵＩ（Graphical User Interface）データを生成し、この生成されたＧＵＩデータはバス３３を介して重畳処理部３１へ送信される。重畳処理部３１に送付されたＧＵＩデータは、例えば放送番組の映像データに重畳処理されたり、あるいはＧＵＩ単独画面として処理され、映像音声出力部３２へ伝送される。
【００６０】
光ディスクレコーダ１１のＨＤＭＩ ＣＥＣ制御手段４１が、光ディスクレコーダ１１の電源がオフされる情報が、通知されたかを判定し、通知されたならば、ＨＤＭＩ ＣＥＣ制御手段４１が光ディスクレコーダ１１がアクティブ状態か非アクティブ状態かを判定して、アクティブ状態であれば、シンク機器（例えば、デジタルテレビ１５）に対してスタンバイコマンドを送信し、非アクティブ状態であれば、スタンバイコマンドを送信しないようにする。
【００６１】
ＨＤＭＩ ＣＥＣ制御手段４１は、図３で示した電源制御に関するＨＤＭＩ ＣＥＣコマンドの発行動作手順の一例を示すフローチャート従ってスタンバイコマンドを発行の可否を決定し、映像音声出力部３２を介してシンク機器（例えば、デジタルテレビ１５）に送信する。
【００６２】
光ディスクレコーダ１１がアクティブ状態であるとき、シンク機器（例えば、デジタルテレビ１５）にＨＤＭＩ接続された１個または複数のソース機器の中で、光ディスクレコーダ１１が入力先として選択されているため、シンク機器（例えば、デジタルテレビ１５）の電源をオフにしても、利用者にとって不都合はなく、光ディスクレコーダ１１の電源をオフする際のシンク機器の電源制御に関する連動機能の使い勝手が向上する。
【００６３】
光ディスクレコーダ１１が非アクティブ状態であるとき、光ディスクレコーダ１１の電源をオフとしてもシンク機器（例えば、デジタルテレビ１５）の電源はオフとならず、光ディスクレコーダ１１以外のソース機器が入力先として選択された状態が継続される。従って光ディスクレコーダ１１の電源をオフする際のシンク機器の電源制御に関する連動機能の使い勝手が向上する。
【００６４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６５】
１  ソース機器
２  ＨＤＭＩ ＣＥＣ制御手段
３  アクティブ状態判定手段
４  電源制御手段
５  ＨＤＭＩ端子
６  シンク機器
７  ＨＤＭＩ ＣＥＣ制御手段
８  電源制御手段
９  ＨＤＭＩ端子
１０  ＨＤＭＩケーブル
１１  光ディスクレコーダ
１３  ＨＤＭＩ端子
１５  デジタルテレビ
２２  ＨＤＭＩ端子
２４  ＨＤＭＩケーブル
２９  デコード処理部
３０  記録装置
３２  映像音声出力部
３４  制御部
３５  ＭＰＵ
４１  ＨＤＭＩ ＣＥＣ制御手段
４２  アクティブ状態判定手段
４３  電源制御手段
４６  電源回路
【図１】
2012119934.tif 000003
【図２】
2012119934.tif 000004
【図３】
2012119934.tif 000005
【図４】
2012119934.tif 000006
【図５】
2012119934.tif 000007